(57)【特許請求の範囲】
【請求項１】
撮像された画像のうち人物の顔に所定の補正を加える第一の撮影モードと、前記第一の撮影モードとは異なる第二の撮影モードとを複数の撮影モードのうちいずれかを選択する撮影モード選択手段と、
撮像された画像から人物の顔を検出する顔検出手段と、
焦点検出を行う焦点検出手段と、
前記焦点検出手段による前記焦点検出時に被写体へ向けて補助光の発光を行う発光手段と、
被写体の明るさが所定の明るさよりも暗い場合に前記補助光の発光を行うように前記発光手段を制御する制御手段であり、
前記顔検出手段で顔を検出できたか否かにかかわらず、前記第一の撮影モードの場合には被写体の明るさが第一の明るさよりも暗い場合に前記補助光を発光させ、前記第一の明るさよりも明るい場合には前記補助光を発光せず、
前記顔検出手段で顔を検出できたか否かにかかわらず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御手段と
を有することを特徴とする発光制御装置。
【請求項２】
近距離で人物を撮影するための第一の撮影モードと、前記第一の撮影モードとは異なる第二の撮影モードとを含む複数の撮影モードのうちいずれかを選択する撮影モード選択手段と、
撮像された画像から人物の顔を検出する顔検出手段と、
焦点検出を行う焦点検出手段と、
前記焦点検出手段による前記焦点検出時に被写体へ向けて補助光の発光を行う発光手段と、
被写体の明るさが所定の明るさよりも暗い場合に前記補助光の発光を行うように前記発光手段を制御する制御手段であり、
前記顔検出手段で顔を検出できたか否かにかかわらず、前記第一の撮影モードの場合には被写体の明るさが第一の明るさよりも暗い場合に前記補助光を発光させ、前記第一の明るさよりも明るい場合には前記補助光を発光せず、
前記顔検出手段で顔を検出できたか否かにかかわらず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御手段と
を有することを特徴とする発光制御装置。
【請求項３】
当該発光制御装置の本体部に対して回転可能な表示部の前記本体部に対する位置が、前記表示部の表示面が撮像手段の撮像方向に向く第一の位置と、前記表示部の表示面が前記撮像手段の撮像方向と異なる方向に向く第二の位置とを含む複数の位置のうちいずれであるかを検知する検知手段と、
前記撮像手段で撮像された画像から人物の顔を検出する顔検出手段と、
焦点検出を行う焦点検出手段と、
前記焦点検出手段による前記焦点検出時に被写体へ向けて補助光の発光を行う発光手段と、
被写体の明るさが所定の明るさよりも暗い場合に前記補助光の発光を行うように前記発光手段を制御する制御手段であり、
前記顔検出手段で顔を検出できたか否かにかかわらず、前記検知手段で前記表示部が前記第一の位置にあることを検知したことを含む特定の条件を満たした場合には被写体の明るさが第一の明るさよりも暗い場合に前記補助光を発光させ、前記第一の明るさよりも明るい場合には前記補助光を発光せず、
前記顔検出手段で顔を検出できたか否かにかかわらず、前記特定の条件を満たさない場合に被写体の明るさが前記第一の明るさよりも明るい第二の明るさよりも暗い場合に前記補助光を発光させ、前記第二の明るさよりも明るい場合には前記補助光を発光しないように制御する制御手段と
を有することを特徴とする発光制御装置。
【請求項４】
少なくとも、撮像された画像のうち人物の顔に所定の補正を加える第一の撮影モード、または、前記第一の撮影モードとは異なる第二の撮影モードを選択可能な撮影モード選択手段を更に有し、前記特定の条件は、前記検知手段で前記表示部が前記第一の位置にあることを検知しており、かつ、前記第一の撮影モードに設定されていることを含むことを特徴とする請求項３に記載の発光制御装置。
【請求項５】
少なくとも、近距離で人物を撮影するための第一の撮影モード、または、前記第一の撮影モードとは異なる第二の撮影モードを選択可能な撮影モード選択手段を更に有し、前記特定の条件は、前記検知手段が前記表示部で前記表示部が前記第一の位置にあることを検知しており、かつ、前記第一の撮影モードに設定されていることを含むことを特徴とする請求項３に記載の発光制御装置。
【請求項６】
撮像された画像から人物の顔を認識可能な認識手段を更に有し、
前記特定の条件は、前記検知手段が前記表示部で前記表示部が前記第一の位置にあることを検知しており、かつ、前記第一の撮影モードに設定されており、かつ、前記認識手段で人物の顔を検知していることを含むことを特徴とする請求項４または５に記載の発光制御装置。
【請求項７】
当該発光制御装置の本体部に対して回転可能な表示部の前記本体部に対する位置が、少なくとも、前記表示部の表示方向が撮像手段の撮像方向と同じ方向になる第一の位置、または、前記表示部の表示方向が前記撮像手段の撮像方向と異なる方向になる第二の位置のいずれであるかを検知可能な検知手段をさらに有し、
前記制御手段は、前記表示部が前記第一の位置であることが検知されたことに応じて前記第一の撮影モードを選択するように前記撮影モード選択手段を制御することを特徴とする請求項１または２に記載の発光制御装置。
【請求項８】
前記第一の撮影モードは自分撮りモードであることを特徴とする請求項１，２，４乃至７のいずれか１項に記載の発光制御装置。
【請求項９】
前記第二の撮影モードは、オート撮影モードまたは風景を撮影するための撮影モードであることを特徴とする請求項１，２，４乃至８のいずれか１項に記載の発光制御装置。
【請求項１０】
前記第一の撮影モードにおいて前記焦点検出手段が前記焦点検出を行う範囲は、前記第二の撮影モードにおいて前記焦点検出手段が前記焦点検出を行う範囲よりも狭く、かつ近距離側であることを特徴とする請求項１，２，４乃至９のいずれか１項に記載の発光制御装置。
【請求項１１】
前記発光手段はさらに赤目現象を軽減するための発光を行うことが可能であり、
前記制御手段は、前記第一の撮影モードにおいても、前記第二の撮影モードにおいても前記赤目現象を軽減するための発光を同じ発光量で行うように制御することを特徴とする請求項１，２，４乃至１０のいずれか１項に記載の発光制御装置。
【請求項１２】
前記制御手段は、前記第一の明るさより暗いことに基づいて前記補助光を発光する場合の発光量を、前記第二の明るさより暗いことに基づいて前記補助光を発光する場合の発光量よりも小さくするように制御することを特徴とする請求項１乃至１１のいずれか１項に記載の発光制御装置。
【請求項１３】
焦点検出時に被写体へ向けて補助光の発光を行う発光手段を有する発光制御装置の制御方法であって、撮像された画像のうち人物の顔に所定の補正を加える第一の撮影モードと、前記第一の撮影モードとは異なる第二の撮影モードとを含む複数の撮影モードのうちいずれかを選択する撮影モード選択ステップと、
撮像された画像から人物の顔を検出する顔検出ステップと、
焦点検出を行う焦点検出ステップと、
被写体の明るさが所定の明るさよりも暗い場合に前記補助光の発光を行うように前記発光手段を制御する制御ステップであり、
前記顔検出ステップで顔を検出できたか否かにかかわらず、前記第一の撮影モードの場合には被写体の明るさが第一の明るさよりも暗い場合に前記補助光を発光させ、前記第一の明るさよりも明るい場合には前記補助光を発光せず、
前記顔検出ステップで顔を検出できたか否かにかかわらず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御ステップと
を有することを特徴とする発光制御装置の制御方法。
【請求項１４】
焦点検出時に被写体へ向けて補助光の発光を行う発光手段を有する発光制御装置の制御方法であって、
近距離で人物を撮影するための第一の撮影モードと、前記第一の撮影モードとは異なる第二の撮影モードとを含む複数の撮影モードのうちいずれかを選択する撮影モード選択ステップと、
撮像された画像から人物の顔を検出する顔検出ステップと、
焦点検出を行う焦点検出ステップと、
被写体の明るさが所定の明るさよりも暗い場合に前記補助光の発光を行うように前記発光手段を制御する制御ステップであり、
前記顔検出ステップで顔を検出できたか否かにかかわらず、前記第一の撮影モードの場合には被写体の明るさが第一の明るさよりも暗い場合に前記補助光を発光させ、前記第一の明るさよりも明るい場合には前記補助光を発光せず、
前記顔検出ステップで顔を検出できたか否かにかかわらず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御ステップと
を有することを特徴とする発光制御装置の制御方法。
【請求項１５】
焦点検出時に被写体へ向けて補助光の発光を行う発光手段を有する発光制御装置の制御方法であって、
当該発光制御装置の本体部に対して回転可能な表示部の前記本体部に対する位置が、前記表示部の表示面が撮像手段の撮像方向に向く第一の位置、または、前記表示部の表示面が前記撮像手段の撮像方向と異なる方向に向く第二の位置とを含む複数の位置のうちいずれであるかを検知する検知ステップと、
前記撮像手段で撮像された画像から人物の顔を検出する顔検出ステップと、
焦点検出を行う焦点検出ステップと、
被写体の明るさが所定の明るさよりも暗い場合に前記補助光の発光を行うように前記発光手段を制御する制御ステップであり、
前記顔検出ステップで顔を検出できたか否かにかかわらず、前記検知ステップが前記表示部が前記第一の位置にあることを検知したことを含む特定の条件を満たした場合には被写体の明るさが第一の明るさよりも暗い場合に前記補助光を発光させ、前記第一の明るさよりも明るい場合には前記補助光を発光せず、
前記顔検出ステップで顔を検出できたか否かにかかわらず、前記特定の条件を満たさない場合に被写体の明るさが前記第一の明るさよりも明るい第二の明るさよりも暗い場合に前記補助光を発光させ、前記第二の明るさよりも明るい場合には前記補助光を発光しないように制御する制御ステップと
を有することを特徴とする発光制御装置の制御方法。
【請求項１６】
コンピュータを、請求項１乃至１２のいずれか１項に記載された発光制御装置の各手段として機能させるためのプログラム。
【請求項１７】
コンピュータを、請求項１乃至１２のいずれか１項に記載された発光制御装置の各手段として機能させるためのプログラムを格納したコンピュータが読み取り可能な記録媒体。
【発明の詳細な説明】
【技術分野】
【０００１】
本発明は、発光制御装置およびその制御方法に関し、特に撮影に関する発光を制御する技術に関する。
【背景技術】
【０００２】
近年、モニタを被写体に向ける等をして、撮影者自身を撮影する自分撮りが行われることが多くなり、また自撮りに適した撮影モードである自撮りモードも登場している。特許文献１には、撮像装置から被写体までの距離が所定距離以内であることを条件の１つとして、自分撮りモードに設定し、自分撮りに適した撮影条件に設定することが提案されている。一方、撮影を行う際には、ストロボ、赤目緩和光、ＡＦ（オートフォーカス）補助光、セルフタイマー等の発光を行うことがある。特許文献２には、ＡＦ補助光が被写体に届いたか否かを判定し、それに応じた焦点調節制御を行うことが提案されている。
【先行技術文献】
【特許文献】
【０００３】
【特許文献１】特開２０１３−７４４２８号公報
【特許文献２】特開２０１４−１４２３７６号公報
【発明の概要】
【発明が解決しようとする課題】
【０００４】
特許文献１のように、撮像部及び発光部を有し、近距離で行う自分撮りモードの撮影において、特許文献２のように、焦点検出を行うためにＡＦ補助光の発光をするとユーザがまぶしいと感じることがある。しかし、ＡＦ補助光を発光しないと良好な焦点検出をすることができない可能性もある。
【０００５】
本発明は、上記の課題に鑑み、撮影時の発光を適切化することによって、ユーザの撮影のしやすさを向上させた発光制御装置の提供を目的とする。
【課題を解決するための手段】
【０００６】
上記目的を達成するために、本発明の発光制御装置は、
撮像された画像のうち人物の顔に所定の補正を加える第一の撮影モードと、前記第一の撮影モードとは異なる第二の撮影モードとを複数の撮影モードのうちいずれかを選択する撮影モード選択手段と、
撮像された画像から人物の顔を検出する顔検出手段と、
焦点検出を行う焦点検出手段と、
前記焦点検出手段による前記焦点検出時に被写体へ向けて補助光の発光を行う発光手段と、
被写体の明るさが所定の明るさよりも暗い場合に前記補助光の発光を行うように前記発光手段を制御する制御手段であり、
前記顔検出手段で顔を検出できたか否かにかかわらず、前記第一の撮影モードの場合には被写体の明るさが第一の明るさよりも暗い場合に前記補助光を発光させ、前記第一の明るさよりも明るい場合には前記補助光を発光せず、
前記顔検出手段で顔を検出できたか否かにかかわらず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御手段と
を有することを特徴とする。
【発明の効果】
【０００７】
本発明によれば、撮影時の発光を適切化することによって、ユーザの撮影のしやすさを向上させることができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】第１実施形態における撮影モードの処理を示すフローチャート
【図４】第２実施形態における撮影モードの処理を示すフローチャート
【図５】本実施形態におけるユーザの撮影の様子の一例を示す図
【発明を実施するための形態】
【０００９】
以下、図面を参照して本発明の好適な実施形態を説明する。
【００１０】
＜第１実施形態＞
図１は本実施形態における発光制御装置の一例としてのデジタルカメラ１００の外願図であり、図１（ａ）は背面からの外観図、図１（ｂ）は正面からの外観図、図１（ｃ）はパネル部を反転させた場合の正面からの外観図である。
【００１１】
表示部２８は画像や各種情報を表示する表示部であり、タッチ操作を受け付けるタッチパネル７０ａが重畳されている。シャッターボタン６１は撮影指示を行うための操作部である。モード切替スイッチ６０は各種モードを切り替えるための操作部である。コネクタ１１２は例えばＰＣやプリンタと接続するための接続ケーブル１１１をデジタルカメラ１００に接続するためのコネクタである。メニューボタン７４は、メニュー画面を表示するためのボタンである。メニュー画面においては、ストロボ発光のオート発光、常時発光、発光禁止の設定を行うことができる。また、ＡＦ補助光のＯＮとＯＦＦの設定、セルフタイマー設定、赤目緩和光のＯＮとＯＦＦの設定を行うことができる。ＡＦ補助光は、露光を行う際に発光するストロボとは異なり、露光をおこなう前の合焦位置を検出するためのＡＦ処理（焦点検出）を行うための発光である。
【００１２】
操作部７０はユーザからの各種操作を受け付ける各種スイッチ、ボタン、タッチパネル等の操作部材より成る操作部である。コントローラホイール７３は操作部７０に含まれる回転操作可能な操作部材である。電源スイッチ７２は、電源オン、電源オフを切り替えるための押しボタンである。記録媒体２００はメモリカードやハードディスク等の不揮発性の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けてスロット２０１から記録媒体２００の一部を取り出して露出させた状態を示している。パネル部８２は、表示部２８を含むデジタルカメラ１００の本体部Ｍに対して回転可能に取り付けられている。また、ストロボ３１は発光部であり、暗所や逆光の際に発光させると被写体を適切な明るさで撮影することができる。上述したメニュー画面で、ストロボ発光がオートに設定された場合には被写体が一定の明るさよりも暗い場合にストロボ３１が発光し、常時発光に設定された場合には、被写体の明るさに関わらず発光する。また、発光禁止に設定された場合には、被写体の明るさに関わらず発光しない。
【００１３】
図１（ｂ）のＬＥＤ発光部３３は撮像レンズ１０３側（被写体側）に取り付けられている。ＬＥＤ発光部３３は、セルフタイマーを使用した撮影において撮影のタイミングをユーザに光で知らせたり（セルフタイマー通知）、赤目緩和光を発光するため、ＡＦ（自動合焦）補助光を発光するためにも使用される。ＬＥＤ発光部３３は赤色で発光する発光部であるが、赤色でなくても緑色、白色、オレンジ等の色でもよい。赤目緩和光は、ストロボ３１を使用した撮影において被写体の目が赤く写ってしまうこと（赤目現象）を防ぐために、ストロボ３１の発光を行う前に発光を行う光のことである。赤目現象が発生すると画像の質が低下する可能性があるが、赤目緩和光を発光させると赤目現象が低減される。ＡＦ補助光は、一定の明るさよりも暗い被写体を撮影する場合に、被写体を照射することで合焦位置を検出するために発光する光である。
【００１４】
図１（ｃ）は、パネル部８２が本体部Ｍに対して反転した状態を示しており、撮像レンズ１０３の撮像方向と、表示部２８の表示方向が同じ方向になっている（双方被写体側を向く）。このように表示部２８の表示方向を変えると、被写体は撮影される自身を確認しながら撮影をすることができる。被写体自身が撮影者となる自分撮り（自撮り、セルフィ、セルフポートレート等）の撮影においては、被写体自身がアングルや表情を確認しながら撮影を行うことができるので、所望の画像がより得やすくなる。なお、パネル部８２の位置が反転した位置であるかは、パネル部８２の反転操作に応じて不図示の本体部に取り付けられたスイッチのオン／オフが切り替わることにより検知可能である。
【００１５】
図２は、本実施形態によるデジタルカメラ１００の構成例を示すブロック図である。
【００１６】
図２において、撮像レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００２０】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２１】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２２】
システムタイマー５３は各種制御に用いる時間や、内蔵された時計の時間を計測する計時部である。
【００２３】
モード切替スイッチ６０、シャッターボタン６１、操作部７０はシステム制御部５０に各種の動作指示を入力するための操作手段である。
【００２４】
モード切替スイッチ６０は、システム制御部５０の動作モードを静止画記録モード、動画撮影モード、自撮りモード等のいずれかに切り替える（撮影モード選択可能）。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。
【００２５】
第１シャッタースイッチ６２は、デジタルカメラ１００に設けられたシャッターボタン６１の操作途中、いわゆる半押し（撮影準備指示）でＯＮとなり、第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。このとき、自撮りモード等の画像に効果をかけて撮影をするようなモードの場合には、撮像部２２から読み出した画像データに、ユーザが設定した効果をかけていから記録媒体２００に記録する。
【００２７】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２は、ユーザによって電源が操作されると、電源のＯＮ、ＯＦＦを切り替えるようにシステム制御部５０に伝える。
【００２８】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の不揮発性の記録媒体であり、半導体メモリや光ディスク、磁気ディスク等から構成される。
【００２９】
ストロボ３１は、露光時に被写体への発光をすることで適切な明るさで被写体を撮影するための発光部である。ＬＥＤ発光部３３は、セルフタイマー、赤目緩和光、ＡＦ補助光を発光するための発光部である。
【００３０】
ここで、自撮りモードについて説明する。自撮りモードは、図５（ａ）に示すように撮影者自身が被写体となって撮影を行うときの撮影モードである。また、美肌設定や、明るさ設定、背景ぼかし設定等の効果を設定可能であり、設定された効果をかけて画像を記録することができる。図５に示すように、主に撮影者の顔や、顔を含めた全身等を被写体とするため、デジタルカメラ１００と被写体の距離は近くなることが多い撮影モードである。なお、必ずしも撮影者自身が被写体となるわけではなく、自撮りモード特有の効果を被写体にかける場合にも有用な撮影モードであるが、主に人物を主対象として撮影を行うものであり、被写体との距離は近くなる可能性が高い。
【００３１】
本実施形態では、自撮りモードにおける発光条件を他のモードとは異なる条件に設定する。発光条件には、ＡＦ補助光やセルフタイマーの発光（通知光）の大きさ（発光量）や、ＡＦ補助光を発光するか否かを判定するための明るさの閾値の大きさが含まれる。上述したように、自撮りモードでは近距離での撮影を行うことが多く、通常の発光量で発光すると発光源と被写体が近いため被写体がまぶしいと感じるおそれがあるが発光量を小さくすることでまぶしさを軽減させる（不快感を軽減させる）ことができる。また発光量を小さくしてもＡＦ補助光であれば近距離に被写体がいるのでＡＦ処理において合焦位置の検出ができなくなる可能性が低い。つまり、自撮りモードで（焦点検出時の）ＡＦ補助光の発光量を小さくしてもＡＦ処理の合焦結果に与える影響は小さく、被写体が発光のまぶしさを感じにくくなるので、合焦した画像を得られるようにしつつ、ユーザの不快感を軽減することができる。
【００３２】
また、セルフタイマーの発光でも被写体が近距離にいるので、発光量を小さくしても被写体はセルフタイマーの通知を認識できる可能性が高い。つまり、自撮りモードでＡＦ補助光の発光量を小さくしても、被写体は発光を認識可能であるが、被写体は発光のまぶしさを感じにくくなる。一方で通常の撮影においては被写体が必ずしも近距離にいるわけではなく、発光量を自撮りモードのように小さくすると、ＡＦ処理を正確に行えなかったり、セルフタイマーの発光を被写体が認識できなかったりする可能性が高くなり好ましくない。
【００３３】
また、自撮りモードでは撮影される画像を確認したり、角度や表情を調整したりしてから撮影を行うので、撮影までの時間が通常の撮影よりも長くかかる。そのため、ＳＷ１の指示がされており、ＡＦの調整がされている間にＡＦ補助光が常に通常モードと同じ発光量で発光し続けていると、被写体はその期間まぶしい光をみなければならない。よって、自撮りモードにおいて発光量を小さくすると長期間ＡＦ補助光を見なければならないような場合であっても、被写体はまぶしさを感じにくくなる。
【００３４】
次に、ＡＦ補助光を発光するか否かを判定するための閾値について説明する。ＡＦ補助光は一般的に被写体の明るさが一定よりも暗い場合に、より正確にＡＦ処理（合焦位置を検出）が行えるように被写体に向けて発光するものである。ＡＦ補助光を発光するか否かを判定するための明るさの閾値を小さくすると、より暗い被写体を撮影する場合にＡＦ補助光が発光するようになり、明るさの閾値が大きくなるとより明るい被写体であってもＡＦ補助光を発光するようになる。上述したように自撮りモードでは被写体が近距離にいる可能性が高いので、被写体のいる位置（合焦させたい位置）の範囲が他のモードに比べてある程度限定されている。よって、他のモードではＡＦ補助光の発光が必要な場合であっても、自撮りモードであればＡＦ補助光を発光しなくても限られた範囲（撮像部２２の近距離側の狭い範囲）に合焦させたい位置があると考えられるので合焦位置の検出がしやすい。よって、自撮りモードでＡＦ補助光の発光の頻度が小さくなるようにしても、ＡＦ処理の精度が低減するわけではなく、被写体がまぶしいと感じる発光がされにくくなる。また、自撮りモードでは上述したように合焦させたい位置が他のモードに比べて限られた範囲である可能性が高いので、例えばレンズ１０３から１メートル〜２メートル程度の範囲に焦点検出範囲（サーチ範囲）を限定してもよい。このように焦点検出範囲を限定することで、よりすばやく合焦位置の検出をすることができるので、シャッターチャンスを逃しにくくなる。
【００３５】
図３を用いて本実施形態における発光処理について説明する。この処理は、不揮発性メモリ５６に記録されたプログラムをシステムメモリ５２に展開してシステム制御部５０が実行することで実現する。なお、この処理は、デジタルカメラ１００に電源が入り、撮影を行うモードに切り替えられ、発光が可能になると開始する。
【００３６】
Ｓ３０１では、システム制御部５０は、ストロボ３１の発光によって人物の目が赤く写ってしまうことを防ぐための光である赤目緩和光の大きさを発光量Ａに設定し、システムメモリ５２に記録する。赤目緩和光の発光量Ａは例えば、４００ルーメンや、５００ルーメンである。なお、発光量Ａはユーザがメニュー画面において設定できるようにしてもよい。
【００３７】
Ｓ３０２では、システム制御部５０は、現在設定されている撮影モードが自撮りモードであるか否かを判定する。自撮りモードであると判定した場合は、Ｓ３０３へ進み、そうでない場合は、Ｓ３０４へ進む。自撮りモードに設定されているか否かの判定は、モード切替スイッチ６０またはメニュー画面において自撮りモードに設定されたか、もしくはパネル部８２が反転した（反転した位置であることを検知した）ことに応じて自撮りモードに設定されたと判定してもよい。
【００３８】
Ｓ３０３では、システム制御部５０は、発光条件を発光条件１に設定する。自撮りモードであれば、ＡＦ補助光を発光する場合には発光量１の大きさで発光し、セルフタイマーで発光をする場合にはセルフタイマー発光量１で発光するようにする。発光量１は、通常のモード（自撮りモードでないモード）のＡＦ補助光の発光量（発光量２）よりも小さく、セルフタイマー発光量１は、通常のモードのセルフタイマー発光量よりも小さい。例えば、通常のモードでのそれぞれ発光量が５００ルーメンであるとすれば、自撮りモードでは２００ルーメンで発光するようにする。なお、通常モードとしては、オート撮影モード、風景や景色を撮影するような撮影モード、夜景撮影をするような撮影モード等が含まれる。
【００３９】
Ｓ３０４では、システム制御部５０は、発光条件を発光条件２に設定する。通常の撮影モードであればＡＦ補助光を発光する場合には発光量２の大きさで発光し、セルフタイマーで発光をする場合にはセルフタイマー発光量２で発光するようにする。発光量２は、Ｓ３０１で設定された発光量Ａと同じ発光量でもよいし、発光量Ａよりも大きくても小さくてもよいが、発光量１よりも大きい。発光量１は２００ルーメン、発光量Ａが５００ルーメンの場合には、発光量２は４００ルーメンや５００ルーメンになる。
【００４０】
Ｓ３０５では、システム制御部５０は、シャッターボタン６１が半押しされたか（すなわち第一シャッタースイッチ６２が発生したか）否かを判定する。半押しされたと判定した場合は、Ｓ３０６へ進み、そうでない場合は、Ｓ３０２に戻る。
【００４１】
Ｓ３０６では、システム制御部５０は、セルフタイマー設定がＯＮになっているか否かを判定する。セルフタイマー設定がＯＮになっていると判定した場合は、Ｓ３０７へ進み、そうでない場合は、Ｓ３１０に進む。セルフタイマー設定のＯＮ、ＯＦＦの切り替えはメニュー画面、もしくは撮影時にライブビュー画面に表示される簡易設定において設定することができる。セルフタイマーがＯＮの場合はさらに、撮影するまでの時間を１０秒か２秒かに設定することができる。セルフタイマーの発光は、撮影指示がされてから０．５秒毎にＬＥＤ発光部３３が発光（点滅）し、２秒前になると０．２秒ごとに発光する。なお、自撮りモードの場合にはセルフタイマーの発光方法を通常のモードとは変えてもよく、撮影指示がされてから１秒毎にＬＥＤ発光部３３を発光させ、２秒前になったら発光をしないようにして発光回数を減らしてもよい。
【００４２】
Ｓ３０７では、システム制御部５０は、シャッターボタン６１が全押しされたか（すなわち第二シャッタースイッチ６４が発生したか）否かを判定する。全押しされたと判定した場合は、Ｓ３０８へ進み、そうでない場合は、Ｓ３０５に戻る。
【００４３】
Ｓ３０８では、システム制御部５０は、Ｓ３０３またはＳ３０４において設定されたセルフタイマー発光量に基づいてセルフタイマーの発光を行う。なお、セルフタイマーがＯＮで撮影の２秒前になったら発光を行わない場合には、ここでは発光は行わずにＳ３０９に進む。
【００４４】
Ｓ３０９では、システム制御部５０は、Ｓ３０５で撮影指示がされてから設定されたセルフタイマーの設定時間（１０秒か２秒か）が経過したか否かを判定する。設定されたセルフタイマーの時間経過したと判定された場合には、Ｓ３１０へ進み、そうでない場合は、Ｓ３０８に進む。
【００４５】
Ｓ３１０では、システム制御部５０は、ＡＦ補助光の設定がＯＮになっているかを判定する。ＡＦ補助光の設定がＯＮになっていると判定した場合は、Ｓ３１１へ進み、そうでない場合は、Ｓ３１７に進む。
【００４６】
Ｓ３１１では、システム制御部５０は、被写体の明るさを取得し、システムメモリ５２に記録する。被写体の明るさは撮像部２２により得られた被写体の明度から検出してもいいし、不図示の照度測定部等で測定された結果に基づいて検出してもよい。
【００４７】
Ｓ３１２では、システム制御部５０は、Ｓ３０３またはＳ３０４において設定された発光閾値よりも、Ｓ３１１において検出された被写体の明るさが暗いか否かを判定する。発光閾値よりも被写体の明るさが暗いと判定した場合は、Ｓ３１３へ進み、そうでない場合は、Ｓ３１７に進む。このとき、自撮りモードの場合には発光閾値が、通常のモードの場合よりも小さいので、Ｓ３１２における判定がＹｅｓになりにくい。つまり、ＡＦ補助光を発光する頻度が少なくなるので自撮りモードにおいてユーザはＡＦ補助光によりまぶしさを感じにくくなる。
【００４８】
以下のＳ３１３〜Ｓ３１４は、Ｓ３１２においてＡＦ補助光を発光すると判定された場合に、赤目緩和光を発光するのか否かを判定する処理である。ＡＦ補助光と赤目緩和光は撮影の直前にＬＥＤ発光部３３から発光するものであり、どちらも発光する判定がされた場合にはＡＦ補助光と赤目緩和光の両方の機能を果たすための発光がされ、別々に発光がされるわけではない。また、自撮りモードで設定される発光量が小さいような場合に、発光量が小さくなるとＡＦ補助光の機能は上述したように低下しないが、赤目緩和の効果が小さくなり、得られる画像の質が低下する可能性があるため、発光量を小さくしない。つまり、ＡＦ補助光が発光されると判定された場合に、さらに赤目緩和光を発光するかの判定を行って、発光時に赤目緩和の機能を果たすために発光をするのかを判定することで発光量の大きさを決める。
【００４９】
Ｓ３１３では、システム制御部５０は、ストロボ発光するか否かを判定する。赤目緩和光はストロボ発光する場合に発光するので、ここでストロボ発光するか否かを判定する。ストロボは、ストロボ発光がオートに設定されており、被写体が例えば２０ルクス等の一定の明るさよりも暗いと判定された場合、もしくは常時発光に設定された場合に発光する。ストロボ発光がオートに設定されており、被写体が一定の明るさよりも明るいと判定された場合、もしくは発光禁止に設定された場合にはストロボ発光しない。ストロボ発光すると判定された場合は、Ｓ３１４へ進み、そうでない場合は、Ｓ３１６に進む。
【００５０】
Ｓ３１４では、システム制御部５０は、赤目緩和機能がＯＮであるか否かを判定する。赤目緩和機能がＯＮになっていると判定した場合は、Ｓ３１５へ進み、そうでない場合は、Ｓ３１６に進む。
【００５１】
Ｓ３１５では、システム制御部５０は、赤目緩和光の発光量として設定された発光量ＡでＬＥＤ発光部３３を発光させる。なお、この発光にはＡＦ補助光の機能も果たす。
【００５２】
Ｓ３１６では、システム制御部５０は、Ｓ３０３またはＳ３０５で設定された発光条件に基づいたＡＦ補助光の発光量（発光量１または発光量２）でＬＥＤ発光部３３を発光させる。なお、この発光はＡＦ補助光の機能を果たすための発光であるので、自撮りモードに設定されている場合には小さな発光量で発光される。
【００５３】
以下のＳ３１７〜Ｓ３１８は、ＡＦ補助光は発光しないと判定された場合に赤目緩和光を発光するか否かを判定する処理である。
【００５４】
Ｓ３１７〜Ｓ３１８の処理は、Ｓ３１３〜Ｓ３１４の処理と同じ処理であるが、赤目緩和光を発光すると判定された場合には、Ｓ３１５へ進み、そうでない場合は、Ｓ３１９に進む。
【００５５】
Ｓ３１９では、システム制御部５０は、ＡＦ動作をして焦点を合わせる位置を検出する。また、自撮りモードにおいては、顔検出をして検出された顔に合焦するようにしてもよい。
【００５６】
Ｓ３２０では、システム制御部５０は、Ｓ３１９のＡＦ動作において、被写体に合焦したか否かを判定する。被写体に合焦したと判定した場合には、Ｓ３２１へ進み、そうでない場合は、Ｓ３２２に進む。自撮りモードにおいて顔検出した場合には、検出された顔の位置に合焦しているか否かを判定する。
【００５７】
Ｓ３２１では、システム制御部５０は、図５（ｂ）に示すように表示部２８に合焦したことを示す合焦枠５０１を表示する。自撮りモードで顔検出を行っている場合には、被写体の顔に合焦枠が表示される。
【００５８】
Ｓ３２２では、システム制御部５０は、セルフタイマー設定がＯＮになっているか否かを判定する。セルフタイマー設定がＯＮになっていると判定した場合は、Ｓ３２４へ進み、そうでない場合は、Ｓ３２３に進む。セルフタイマーがＯＦＦになっている場合には、Ｓ３０５のＳＷ１の指示に応じてＡＦ補助光や赤目緩和光の発光の判定をするので、ＳＷ２の指示がされるかの判定をＳ３２３において行う。一方で、セルフタイマーがＯＮになっている場合は、セルフタイマーの設定時間が経過した後に、ＡＦ補助光や赤目緩和光の発光の判定をして、ＳＷ２の判定をすることなく撮影に進むのでＳ３２４以降の処理に進む。
【００５９】
Ｓ３２３では、システム制御部５０は、シャッターボタン６１が全押しされたか（すなわち第二シャッタースイッチ６４が発生したか）否かを判定する。全押しされたと判定した場合は、Ｓ３２４へ進み、そうでない場合は、Ｓ３０５に戻る。
【００６０】
Ｓ３２４では、システム制御部５０は、ＬＥＤ発光部３３を消灯する。Ｓ３２５以降の処理では、撮影処理（シャッターを開いて露光）をするので、ＬＥＤ発光部３３が発光していると撮影する画像に余計な光が入り込み画質が低下するためである。なお、ＡＦ補助光や赤目緩和光を発光していない場合に消灯の処理もしない。
【００６１】
Ｓ３２５では、システム制御部５０は、ストロボ発光するか否かを判定する。ストロボ発光すると判定された場合は、Ｓ３２６へ進み、そうでない場合は、Ｓ３２７に進む。
【００６２】
Ｓ３２６では、システム制御部５０は、ストロボ３１を発光させる。ストロボ３１の発光量は例えば３０００Ｗｓや２５００Ｗｓである。
【００６３】
Ｓ３２７では、システム制御部５０は、撮影処理を行い、記録媒体２００に撮像部２２により得られた画像データをメモリ３２に記録する。
【００６４】
Ｓ３２８では、システム制御部５０は、設定されている撮影モードが自撮りモードか否かを判定する。自撮りモードである場合にはＳ３２９へ進み、そうでない場合は、Ｓ３３０に進む。
【００６５】
Ｓ３２９では、システム制御部５０は、Ｓ３２７でメモリ３２に記録された画像データにユーザによって設定された効果をかけ、メモリ３２に記録する。自撮りモードにおいて被写体にかける効果について説明する。美肌設定は、撮像範囲にある顔のうち、検出された顔に対して美肌効果処理（肌の階調を調整する処理）をし、肌がきれいにみえるような画像処理をするための設定である。美肌効果処理では、顔を検出すると目、鼻、口が含まれる範囲を検出し、検出した範囲の中のＹＵＶの値を取得する。算出したＹを低活化することで肌領域が平滑化され、しわ等を目立たなくする（しわ等の凸凹をぼかす）ことができる。また、ＵＶの値を平均化し、平均化した色で肌部分を塗るようにすることで肌の色ムラが小さくなる。明るさ設定は、撮像範囲の全体に対して、露出補正と調光補正を行い、明るさを変更する設定である。背景ぼかし設定は、主顔が強調されるよう、撮影範囲の中の主顔以外の領域をぼかすような加工をする設定である。なお、背景ぼかし設定がＯＮになった場合には、ストロボ発光は行わない。このように自撮りモードでは被写体の特に顔に対して効果をかけることができる。また、効果の強弱も設定することができる。
【００６６】
Ｓ３３０では、システム制御部５０は、Ｓ３２７もしくはＳ３２９においてメモリ３２に記録した画像を記録媒体２００に記録する。
【００６７】
以上、説明した実施形態によれば、自撮りモードにおいて撮影結果に影響の小さい発光（ＡＦ補助光）の発光量を小さくする、または発光頻度を小さくすることで被写体が発光をまぶしいと感じにくくすることができる。自撮りモードは一般的に被写体が撮像部２２から近距離にいる撮影であり、ＡＦをする位置が他の撮影モードに比べて限られた範囲である可能性が高く、ＡＦ補助光の発光量が小さくてもＡＦ処理の精度が落ちにくい。また、自撮りモードにおいてＡＦ補助光は発光量を小さくしたが画像の質に関係する赤目緩和光は自撮りモードであっても発光量を小さくしないので、画像の質は低減しない。
【００６８】
＜第２実施形態＞
第２実施形態は、デジタルカメラ１００の構成に関しては第１実施形態の図１及び図２と同様である。第１実施形態では、ＡＦ補助光、赤目緩和光、セルフタイマー発光をＬＥＤ発光部３３で発光し、ストロボ発光をストロボ３１で発光するとしたが、これに限らずストロボ３１でＡＦ補助光、赤目緩和光、セルフタイマー発光を発光してもよい。第２実施形態では、ＡＦ補助光はストロボ３１で発光し、赤目緩和光はＬＥＤ発光部３３で発光する場合について説明する。
【００６９】
図４を用いて本実施形態における発光処理について説明する。この処理は、不揮発性メモリ５６に記録されたプログラムをシステムメモリ５２に展開してシステム制御部５０が実行することで実現する。なお、この処理は、デジタルカメラ１００に電源が入り、撮影を行うモードに切り替えられ、発光が可能になると開始する。
【００７０】
Ｓ４０１〜Ｓ４０９の処理は、図３のＳ３０１〜Ｓ３０９と同様の処理である。
【００７１】
Ｓ４１０〜Ｓ４１２の処理は、図３のＳ３１３〜Ｓ３１５と同様の処理であり、赤目緩和光を発光させるか否かを判定する処理である。
【００７２】
Ｓ４１３〜Ｓ４１５の処理は、図３のＳ３１０〜Ｓ３１２と同様の処理であり、ＡＦ補助光を発光させるか否かの判定をする処理である。
【００７３】
Ｓ４１６では、システム制御部５０は、Ｓ４０３またはＳ４０５で設定された発光条件に基づいたＡＦ補助光の発光量（発光量１または発光量２）でストロボ３１を発光させる。自撮りモードに設定されている場合には小さな発光量で発光される。なお、ＡＦ補助光はストロボ３１で発光し、赤目緩和光はＬＥＤ発光部３３で発光するとしたが、ＡＦ補助光はＬＥＤ発光部３３で発光し、赤目緩和光はストロボ３１で発光するようにしてもよい。
【００７４】
Ｓ４１７〜Ｓ４２８の処理は、図３のＳ３１９〜Ｓ３３０と同様の処理であるが、Ｓ４２２においてはＬＥＤ発光部３３だけでなくストロボ３１も消灯する。
【００７５】
以上、説明した実施形態によれば、自撮りモードにおいて撮影結果に影響の小さい発光（ＡＦ補助光）の発光量を小さくする、または発光頻度を小さくすることで被写体が発光をまぶしいと感じにくくすることができる。また、自撮りモードにおいてＡＦ補助光は発光量を小さくしたが画像の質に関係する赤目緩和光は自撮りモードであっても発光量を小さくしないので、画像の質は低減しない。さらに実施形態２のようにＡＦ補助光と赤目緩和光を発光する発光部が異なり、赤目緩和光とＡＦ補助光とを発光する場合であっても、実施形態１のように両方の機能を果たすための発光を行うのではなくそれぞれ発光する。よって、赤目緩和のための赤目緩和光は他のモードと同じように発光し、ＡＦ補助光は他のモードよりも小さい光量で発光するので、ユーザはまぶしさを感じにくい。第１実施形態においては、ＡＦ補助光と赤目緩和光をＬＥＤ発光部３３で発光すると判定された場合には、ＡＦ補助光と赤目緩和光の両方の機能を果たす発光を赤目緩和光の発光量に合わせて発光することを説明した。しかし、第２実施形態においては、ＡＦ補助光の発光がストロボ３１で発光するので、ＡＦ補助光はより通常のモードよりも小さい光量で発光し、赤目緩和光は通常のモードよりも光量を小さくせずに発光する。
【００７６】
［変形例］
本実施形態では、自撮りモードに設定された場合に発光条件を発光条件１に設定すること説明したが、さらに以下のような条件で判定をしても良い。図５（ａ）のようにパネル部８２を反転して撮影をしている場合には、自撮りモードでなくても被写体は自撮りをしている可能性が高いので発光条件１に設定し、ＡＦ補助光の発光量を小さくしたり、発光頻度を少なくしてもよい。また、顔検出の結果、検出された１つの顔の大きさが例えば撮像領域の３分の１以上（所定以上）を占めている等、被写体の顔が近くにある可能性が高いと判定し、顔が近くにあると判定した場合には発光条件１に設定してもよい。さらに、自撮りモード以外でも美肌効果処理を使用する撮影モードであれば、人物の顔に近い距離から撮影する可能性が高いので、発光条件１に設定してもよい。なお、自撮りモードである判定、パネル部８２の反転状態の判定や、顔が近くにあることの判定の何れかを組み合わせて判定をして、発光条件１に設定するようにしてもよい。例えば自撮りモード、かつパネル部８２が反転している場合には、発光条件１にし、その他の場合には発光条件２に設定してもよい。また、近距離で人物を撮影するためのモードでの撮影、パネル部を反転された場合の撮影、撮像範囲内に顔が認識されたことに応じて撮影を行うような撮影において、発光条件１に設定するようにしてもよい。これらの撮影は、被写体の顔を近距離で撮影する撮影である可能性が高いため、発光条件１に設定することで被写体はまぶしさを感じにくく、ユーザの不快感を軽減させることができる。
【００７７】
また、撮影指示はシャッターボタン６１への操作によって行えることを説明したが、これに限らずタッチ操作によって行っても良い。タッチパネル７０ａへのタッチを検出したことをＳＷ１として、タッチが離されたことを検出したことをＳＷ２として撮影処理をする。もしくは、タッチパネル７０ａへのタッチを検出したことに応じて、ＡＦ補助発光や赤目緩和光の発光処理を行い、続けてストロボ発光や撮影処理を行うようにしてもよい。タッチ操作で撮影指示を行う場合には、自撮りモードであれば検出された顔位置に合焦するようにし、それ以外のモードであればタッチ位置に合焦するようにしてもよい。
【００７８】
また、本実施形態では静止画の撮影について説明したがこれに限らず、動画撮影や長秒露光等の撮影にも本実施形態は有効である。
【００７９】
なお、本実施形態では自撮りモードの場合に発光条件１で、発光頻度が少なくなり発光量が小さくなるように設定したが、発光頻度と発光量の条件はどちらから一方を発光条件２と異なるように設定してもよい。
【００８０】
なお、自撮りモードである場合にはセルフタイマーにおける発光を小さくすると説明したが、自撮りモードの場合にはセルフタイマー（セルフタイマー用）の通知を発光によっては行わないようにして、音による通知や表示部２８への通知によって行ってもよい。
【００８１】
なお、ＡＦ補助光を発光する場合には、第一実施形態では図３のＳ３１５において、第二実施形態では図４のＳ４１５においてＡＦ補助光を発光することを説明したが、ＡＦ補助光は合焦処理を行っている間発光していてもよい。つまり、ＳＷ１の指示がされてからＳＷ２の指示がされるまでＡＦ補助光を発光し続けてもよい。このとき、赤目緩和光は赤目を軽減するためにストロボ発光前に発光すればよく、短時間の発光でも十分である。よって、ＡＦ補助光と赤目緩和向を共に同じ光源から発光するような場合であっても、発光する期間を異ならせてそれぞれの発光期間で異なる役目の発光をしてもよい。すなわち自撮りモード設定時、パネル部８２の反転時、被写体の顔が近くにあることが検出された時には、ＳＷ１の指示がされたことに応じて、発光条件２とは異なる発光条件１でＡＦ補助光を発光する。それに続いて、同じ発光源から赤目軽減のための発光期間の発光として発光量Ａで発光をさせる。このように、発光期間を異ならせることで、ＡＦ補助光の発光によるユーザのまぶしさをより軽減することができる。
【００８２】
なお、本実施形態においては、ＡＦ補助光以外の発光であり、ユーザに通知をするための発光としてセルフタイマーの発光について説明したが、これにユーザに通知をするための発光はこれに限らず以下のようなものでもよい。すなわち、ユーザの顔が撮像範囲に入ったことを示す通知や、ＡＦしたことを示す通知、撮像範囲内のユーザの顔の数を発光回数で示す通知等がある。
【００８３】
なお、発光制御装置の制御は１つのハードウェアが行ってもよいし、複数のハードウェアが処理を分担することで、装置全体の制御を行ってもよい。
【００８４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８５】
また、上述した実施形態においては、本発明をデジタルカメラ１００に適用した場合を例にして説明したが、これはこの例に限定されず、発光量を変更する制御が可能な発光制御装置であれば適用可能である。すなわち、本発明は携帯電話端末や携帯型の画像ビューワ、デジタルフォトフレーム、音楽プレーヤー、ゲーム機、電子ブックリーダー、撮影に連動して発光するＬＥＤ発光装置や、ストロボ発光装置等の発光装置などに適用可能である。また、上述した装置を制御可能なリモコン部材等にも適用可能である。
【００８６】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006598543.tif 000002
【図２】
0006598543.tif 000003
【図３】
0006598543.tif 000004
【図４】
0006598543.tif 000005
【図５】
0006598543.tif 000006